(57)【要約】【課題】携帯端末の筐体に設けられたコネクタに対してカード部材を容易に挿脱できる携帯端末用カード部材の挿脱工具及びこの工具を用いた挿脱方法を提供する。【解決手段】防水蓋２０を連通孔３１から外し、コネクタ１４の挿脱口１５にカード部材１６を指で途中まで差し込む。カード部材１６を途中まで差し込んだ後、挿脱工具４０の第１上部材４２および第１下部材４３で携帯端末１０を挟み込む。第１上部材４２および第１下部材４３で携帯端末１０を挟み込むことにより、第１上部材４２が筐体１１の底部表面１１Ｄに接触し、第１下部材４３がパネル表面２７Ａに接触する。この状態で、挿脱工具４０を矢印Ａ方向に移動することにより、第１上部材４２を底部表面１１Ｄに沿って移動するとともに第１下部材４３を保護パネル２７に沿って移動する。これにより、第２部材４４をカード部材１６の端面１６Ａに当接させて、カード部材１６をコネクタ１４に向けて矢印Ｂ方向に押し込む。【選択図】図５
2013168114.tif 000002
【特許請求の範囲】
【請求項１】
携帯端末の筐体に収容されたコネクタに対して、前記筐体に設けられ、連通孔を通じてカード部材を挿脱させるために、
前記筐体における前記カード部材の挿脱方向と平行な第１表面に沿う第１部材と、
前記第１部材に連結され、前記カード部材の端面に当接可能な第２部材とを備える携帯端末用カード部材の挿脱工具。
【請求項２】
請求項１に記載の携帯端末用カード部材の挿脱工具であって、
前記第１部材を一対有し、
前記各第１部材が、それぞれ前記第１表面と、前記第１表面とは反対側の第２表面に沿う携帯端末用カード部材の挿脱工具。
【請求項３】
請求項１または請求項２に記載の携帯端末用カード部材の挿脱工具であって、
前記連通孔に設けられたリブに当接可能な当接部を有する携帯端末用カード部材の挿脱工具。
【請求項４】
請求項３に記載の携帯端末用カード部材の挿脱工具であって、
前記当接部から前記第１部材の先端までの第１寸法が、前記当接部から前記第２部材の先端までの第２寸法よりも大きい携帯端末用カード部材の挿脱工具。
【請求項５】
携帯端末用カード部材の挿脱工具が、筐体におけるカード部材の挿脱方向と平行な第１表面に沿う第１部材と、前記第１部材に連結され、前記カード部材の端面に当接可能な第２部材とを備え、
携帯端末の連通孔を通じて前記携帯端末内のコネクタに前記カード部材を差し込んだ後、前記挿脱工具の前記第１部材を、前記カード部材の前記挿脱方向と平行な前記第１表面に当接させ、前記挿脱工具を押し込むと、前記第２部材が、前記カード部材の前記端面を押す携帯端末用カード部材の挿脱工具を用いた挿脱方法。
【発明の詳細な説明】
【技術分野】
【０００１】
本発明は、携帯端末の筐体に収容されたコネクタに、筐体の連通孔を通じてカード部材を挿脱させるために用いる携帯端末用カード部材の挿脱工具及びこの工具を用いた挿脱方法に関する。
【背景技術】
【０００２】
携帯端末は、一般に、筐体に回路基板が収容され、回路基板にカード部材用のコネクタが実装され、コネクタの挿脱口が連通孔に連通され、連通孔が筐体の側面に設けられている。
コネクタにカード部材を挿脱する際には、連通孔および挿脱口を通してコネクタにカード部材を挿入したり、コネクタからカード部材を抜き取ることが可能である（特許文献１）。
また、カードコネクタでは、プッシュ式とカードトレイ式とがあり、プッシュ式の場合、カード装着後に再度、コネクタにカード部材を押し込むことでカード装着が解除され、内部のスプリングによって、カード部材がコネクタから押し出されるものが一般的である。
【先行技術文献】
【特許文献】
【０００３】
【特許文献１】特開２０００−３０５６６２号公報（段落００４０、００４２、図１）
【発明の概要】
【発明が解決しようとする課題】
【０００４】
ここで、携帯端末のなかには防水性を備えたものがある。防水性を有する携帯端末の場合、連通孔を閉鎖する蓋部材にＯリングを備える必要がある。このように、連通孔を閉鎖する蓋部材にＯリングを備えるためには、Ｏリングの奥側にコネクタの挿脱口を設ける必要があり、コネクタの挿脱口が連通孔から筐体内の奥まった箇所に設けられる。
コネクタが奥まった箇所に設けられた際、コネクタの挿脱口付近を広く開けた構造にすると、カード部材の挿脱時の操作性が改善されるが、蓋部材が大きくなってしまい、また、カード挿入状態から更に押し込む際、指が上下左右にずらしやすく、カード部材の飛び出し方向から指をずらすと、飛び出たカード部材が指に当たらずに、そのまま勢いよく飛び出してしまい、カード部材を紛失しやすくなる問題がある。
また、コネクタの挿脱口付近を狭めた構造にした場合には、指がカード部材の端部を押しにくくなり、操作性が悪くなる問題が発生する。
このため、使用者がコネクタの挿脱口を通して指等によりコネクタにカード部材を円滑に挿入したり、コネクタからカード部材を円滑に抜き取ることが難しい。
【０００５】
本発明は、前述した課題を解決するためになされたものであり、その目的は、携帯端末の筐体に設けられたコネクタに対してカード部材を容易に挿脱できる携帯端末用カード部材の挿脱工具及びこの工具を用いた挿脱方法を提供することにある。
【課題を解決するための手段】
【０００６】
本発明の携帯端末用カード部材の挿脱工具は、携帯端末の筐体に収容されたコネクタに対して、前記筐体に設けられ、連通孔を通じてカード部材を挿脱させるために、前記筐体における前記カード部材の挿脱方向と平行な第１表面に沿う第１部材と、前記第１部材に連結され、前記カード部材の端面に当接可能な第２部材とを備える。
【０００７】
携帯端末用カード部材の挿脱工具に、筐体の第１表面に沿う第１部材と、カード部材の端面に当接可能な第２部材とを備えた。第１表面はカード部材の挿脱方向と平行に形成されている。
これにより、第１部材を第１表面に沿って移動することにより、第２部材をカード部材の端面に当接させた状態で、カード部材を第２部材でコネクタに容易に挿入できる。
ここで、コネクタにプッシュプッシュ構造を採用することにより、カード部材を第２部材で挿入状態から更に押し込み、カード部材のロック状態を解除してカード部材をコネクタから容易に抜き取ることができる。
【０００８】
このように、携帯端末用カード部材の挿脱工具を用いることにより、コネクタの挿脱口
を連通孔から筐体内の奥まった箇所に設けても、コネクタに対するカード部材の挿脱を容易に行うことができる。
コネクタの挿脱口を奥まった箇所に設けることにより、連通孔を開閉する蓋部材にシール部材（具体的には、Ｏリング）を設ける空間を確保できる。これにより、蓋部材を防水蓋とすることが可能になり、防水蓋で連通孔を閉鎖して防水性を確保できる。
【０００９】
また、防水機能を有する端末のみならず、防塵蓋を用いた場合でもコネクタ配置の設計自由度を上げることができ、端末の小型化、薄型化が実現できる。
また、コネクタの挿脱口を奥まった箇所に設けることにより、コネクタおよびコネクタの実装された回路基板をユーザーが指で触れることが無くなり安全性も確保できる。
【００１０】
本発明の携帯端末用カード部材の挿脱工具は、前記第１部材を一対有し、前記各第１部材が、それぞれ前記第１表面と、前記第１表面とは反対側の第２表面に沿う。
【００１１】
第１部材を一対有し、各第１部材が第１表面と第２表面とに沿うようにした。第２表面は第１表面とは反対側の面である。
これにより、携帯端末用カード部材の挿脱工具を第１表面および第２表面で移動方向に一層安定的に案内できるので、コネクタに対するカード部材の挿脱を一層容易に行うことができる。
【００１２】
本発明の携帯端末用カード部材の挿脱工具は、前記連通孔に設けられたリブに当接可能な当接部を有する。
【００１３】
よって、リブに当接部を当接することにより、第２部材でカード部材を過剰に押し込むことを防止できる。これにより、カード部材やコネクタに過負荷がかかることを防いでカード部材やコネクタを保護できる。
【００１４】
本発明の携帯端末用カード部材の挿脱工具は、前記当接部から前記第１部材の先端までの第１寸法が、前記当接部から前記第２部材の先端までの第２寸法よりも大きい。
【００１５】
第１部材の第１寸法を第２部材の第２寸法よりも大きくすることにより、カード部材をコネクタから抜き取った状態において、第１部材を第１表面や第２表面で支えることができる。
これにより、カード部材をコネクタから抜き取った状態において、携帯端末用カード部材の挿脱工具が筐体から脱落することを防止できる。
【００１６】
本発明の携帯端末用カード部材の挿脱工具を用いた挿脱方法として、携帯端末用カード部材の挿脱工具が、筐体におけるカード部材の挿脱方向と平行な第１表面に沿う第１部材と、前記第１部材に連結され、前記カード部材の端面に当接可能な第２部材とを備え、携帯端末の連通孔を通じて前記携帯端末内のコネクタに前記カード部材を差し込んだ後、前記挿脱工具の前記第１部材を、前記カード部材の前記挿脱方向と平行な前記第１表面に当接させ、前記挿脱工具を押し込むと、前記第２部材が、前記カード部材の前記端面を押すものである。
これにより、第１部材を第１表面に沿って移動することにより、第２部材をカード部材の端面に当接させた状態で、カード部材を第２部材でコネクタに容易に挿入できる。
【発明の効果】
【００１７】
本発明の携帯端末用カード部材の挿脱工具及びこの工具を用いた挿脱方法によれば、第１部材を第１表面に沿って移動することにより、第２部材をカード部材の端面に当接させた状態で、カード部材を第２部材でコネクタに挿入できる。
このように、第１部材の移動方向を第１表面で案内できるので、カード部材を第２部材でコネクタに容易に挿入できる。
【００１８】
また、カード部材を第２部材で挿入状態から更に押し込み、カード部材のロック状態を解除してカード部材をコネクタから抜き取ることができる。
これにより、カード部材をコネクタから抜き取る際にも、第１部材の移動方向を第１表面で案内できるので、カード部材を第２部材でコネクタから容易に抜き取ることができる。
【図面の簡単な説明】
【００１９】
【図１】本発明に係る携帯端末用カード部材の挿脱工具を用いる携帯端末を裏面側から見た状態を示す斜視図
【図２】図１のＩ−Ｉ線断面図
【図３】本発明に係る携帯端末用カード部材の挿脱工具を携帯端末に用いる例を示す斜視図
【図４】図３の挿脱工具を示す斜視図
【図５】図４の挿脱工具を用いてコネクタにカード部材を挿入する例を説明する断面図
【図６】図４の挿脱工具を用いてコネクタからカード部材を抜き取る例を説明する断面図
【発明を実施するための形態】
【００２０】
以下、本発明の実施形態に係る携帯端末用カード部材の挿脱工具及びこの工具を用いた挿脱方法について図面を参照して説明する。
【００２１】
図１、図２に示すように、携帯端末１０は、矩形箱状の筐体１１と、筐体１１の内部１２に収容され、プッシュ式のカードコネクタであるコネクタ１４と、コネクタ１４に対して挿脱可能なカード部材１６と、コネクタ１４の挿脱口１５に対向する防水蓋２０とを備えている。
【００２２】
また、携帯端末１０は、コネクタ１４が実装された回路基板２４と、回路基板２４を支えるシャーシ２５と、シャーシ２５の表面２５Ａに沿って配置された表示装置２６と、表示装置２６を覆う保護パネル２７とを備えている。
保護パネル２７は、平坦なパネル表面（第２表面）２７Ａを有する。
保護パネル２７の貫通孔２７Ｂに、レシーバ２９のレシーバ孔２９Ａが設けられている。
【００２３】
筐体１１は、略矩形状に形成された底部１１Ａと、底部１１Ａの両側部から立ち上げられた両側壁部１１Ｂと、底部１１Ａの両端部から立ち上げられた両壁部１１Ｃ（図１の手前側の壁部１１Ｃのみを図示する）とを有し、全体に略矩形箱状に形成されている。
【００２４】
底部１１Ａは、パネル表面２７Ａに平行で、かつ、平坦な底部表面（第１表面）１１Ｄを有する。
両壁部１１Ｃのうち、図１に示す手前側の壁部１１Ｃに連通孔３１が形成されている。連通孔３１は、筐体１１の底部１１Ａに沿って筐体１１の内側に向けて形成されている。
連通孔３１に防水蓋２０が着脱自在に設けられている。
【００２５】
連通孔３１には段部３２が形成され、段部３２に防水蓋２０の蓋本体２１が受け入れられる。
防水蓋２０は、蓋本体２１と、蓋本体２１の裏面２１Ａに設けられたシール支え部２２とを有する。シール支え部２２の外周にＯリング（シール部材）３４が設けられている。
連通孔３１に防水蓋２０が取り付けられることにより、蓋本体２１が段部３２に当接し、シール支え部２２およびＯリング３４が連通孔３１に差し込まれる。
【００２６】
この状態で、Ｏリング３４が防水蓋２０（シール支え部２２）および連通孔３１の内周面間の隙間を閉塞することにより、連通孔３１が防水状態に閉じられる。
一方、連通孔３１から防水蓋２０を外すことにより連通孔３１が開放される。
連通孔３１にはリブ３６が設けられている。リブ３６は、後述する挿脱工具４０でカード部材１６をコネクタ１４に過剰に挿入することを防止するための部位である。
【００２７】
筐体１１の内部１２のうち底部１１Ａに沿ってコネクタ１４が回路基板２４に実装されている。コネクタ１４は、連通孔３１に連通された挿脱口１５を有している。
挿脱口１５は、連通孔３１の外端３１ＡからＬ１だけ筐体１１内の奥まった箇所に設けられている。よって、防水蓋２０にＯリング３４を設ける空間３８を確保できる。
この連通孔３１から防水蓋２０を外して連通孔３１を開放した状態において、連通孔３１を通じてカード部材１６を挿脱させることができる。
【００２８】
ここで、コネクタ１４は、プッシュプッシュ構造が採用されている。
よって、コネクタ１４にカード部材１６を挿入する際には、カード部材１６を挿脱口１５からスプリングの付勢力に抗してコネクタ１４に一定以上押し込んだ後、押込力を解放する。押込力を解放することによりスプリングの付勢力でカード部材１６を挿入位置Ｐ１に戻し、コネクタ１４にカード部材１６を挿入した状態に保持できる。
一方、コネクタ１４からカード部材１６を抜き取る際には、カード部材１６を挿入位置Ｐ１から更に押し込んでカード部材１６のロックを解除してカード部材１６を抜き取ることができる。
【００２９】
図３に示すように、カード部材１６をコネクタ１４に対して挿脱する際に、携帯端末用カード部材の挿脱工具（以下、挿脱工具）４０が用いられる。
図４に示すように、挿脱工具４０は、略円形状に形成された工具本体４１と、工具本体４１の上端４１Ａに設けられた第１上部材（第１部材）４２と、工具本体４１の下端４１Ｂに設けられた第１下部材（第１部材）４３とを備えている。
さらに、挿脱工具４０は、工具本体４１の中央４１Ｃに設けられた第２部材４４と、第２部材４４の下方に設けられた当接部４５とを備えている。
【００３０】
図５に示すように、第１上部材４２は、筐体１１におけるカード部材１６の挿脱方向と平行な底部表面１１Ｄに沿う部位であり、内側先端にテーパ面４２Ａが形成されている。
テーパ面４２Ａは、先端４２Ｂに向かうにつれて底部表面１１Ｄから徐々に離れるように傾斜状に形成されている。
第１上部材４２は、当接部４５から第１上部材４２の先端４２Ｂまでの第１下寸法（第１寸法）がＬ２に設定されている。
【００３１】
第１下部材４３は、底部表面１１Ｄとは反対側に設けられ、かつ、カード部材１６の挿脱方向と平行なパネル表面２７Ａに沿う部位であり、内側先端にテーパ面４３Ａが形成されている。
テーパ面４３Ａは、先端４３Ｂに向かうにつれてパネル表面２７Ａから徐々に離れるように傾斜状に形成されている。
第１下部材４３は、当接部４５から第１下部材４３の先端４３Ｂまでの第１上寸法（第１寸法）がＬ２に設定されている。
【００３２】
すなわち、第１上部材４２の第１上寸法、第１下部材４３の第１下寸法が、それぞれＬ２に設定されている。
工具本体４１の上端４１Ａに第１上部材４２を備え、工具本体４１の下端４１Ｂに第１下部材４３を備えることにより、第１上部材４２および第１下部材４３で携帯端末１０を挟み込むことができる。
この状態で、第１上部材４２が筐体１１の底部表面１１Ｄに接触し、第１下部材４３がパネル表面２７Ａに接触する。
【００３３】
第２部材４４は、第１上部材４２および第１下部材４３間に配置され、第１上部材４２および第１下部材４３に工具本体４１を介して連結されている。
また、第２部材４４は、カード部材１６の端面１６Ａに当接可能な先端４４Ａを有し、当接部４５から先端４４Ａまでの第２寸法がＬ３に設定されている。
第２部材４４をカード部材１６の端面１６Ａに当接させて、カード部材１６をコネクタ１４に押し込むことができる。
【００３４】
第２部材４４の第２寸法Ｌ３よりも、第１上部材４２の第１上寸法Ｌ２および第１下部材４３の第１下寸法Ｌ２が大きく設定されている。
これにより、図５に示すように、カード部材１６の端面１６Ａに第２部材４４の先端４４Ａを当接させてカード部材１６をコネクタ１４から抜き取った際に、第１上部材４２および第１下部材４３で携帯端末１０を挟み込んだ状態に保持できる。
【００３５】
当接部４５は、第２部材４４と一体に、第２部材４４の下方に設けられ、連通孔３１に設けられたリブ３６に当接可能な部位である。
当接部４５をリブ３６に当接することにより、挿脱工具４０でカード部材１６をコネクタ１４に過剰に挿入することを防止できる。
【００３６】
次に、挿脱工具４０を用いてコネクタ１４にカード部材１６を挿脱する方法を図５、図６に基づいて説明する。
図５に示すように、防水蓋２０を連通孔３１から外し、コネクタ１４の挿脱口１５にカード部材１６を指で途中まで差し込む。カード部材１６を途中まで差し込んだ後、挿脱工具４０の第１上部材４２および第１下部材４３で携帯端末１０を挟み込む。
【００３７】
ここで、第１上部材４２にテーパ面４２Ａが形成され、第１下部材４３にテーパ面４３Ａが形成されている。
よって、挿脱工具４０の第１上部材４２および第１下部材４３で携帯端末１０を容易に挟み込むことができる。
第１上部材４２および第１下部材４３で携帯端末１０を挟み込むことにより、第１上部材４２が筐体１１の底部表面１１Ｄに接触し、第１下部材４３がパネル表面２７Ａに接触する。
【００３８】
この状態で、挿脱工具４０を矢印Ａ方向に移動することにより、第１上部材４２を底部表面１１Ｄに沿って移動するとともに第１下部材４３を保護パネル２７に沿って移動する。
これにより、第２部材４４をカード部材１６の端面１６Ａに当接させて、カード部材１６をコネクタ１４に向けて矢印Ｂ方向に押し込む。
【００３９】
図６に示すように、挿脱工具４０の第２部材４４でカード部材１６をコネクタ１４に向けて押し込むことにより、カード部材１６を挿脱口１５からスプリングの付勢力に抗してコネクタ１４に押込位置Ｐ２まで一定以上押し込む。
【００４０】
ここで、カード部材１６を押込位置Ｐ２まで押し込んだとき、当接部４５がリブ３６に当接して挿脱工具４０の押込みが停止される。
よって、挿脱工具４０でカード部材１６をコネクタ１４に過剰に挿入することを防止できる。これにより、カード部材１６やコネクタ１４に過負荷がかかることを防いでカード部材１６やコネクタ１４を保護できる。
【００４１】
カード部材１６を押込位置Ｐ２まで一定以上押し込んだ後、挿脱工具４０から押込力を解放する。挿脱工具４０から押込力を解放することによりスプリングの付勢力でカード部材１６を挿入位置Ｐ１まで矢印Ｃ方向に戻す。
図２に示すように、カード部材１６を挿入位置Ｐ１まで戻すことにより、コネクタ１４にカード部材１６を挿入した状態に保持する。
【００４２】
図５に示すように、挿脱工具４０でカード部材１６をコネクタ１４に挿入する際に、第１上部材４２の移動方向を底部表面１１Ｄで案内し、かつ、第１下部材４３の移動方向を保護パネル２７で案内できるので、カード部材１６を第２部材４４でコネクタ１４に容易に挿入できる。
【００４３】
図６に示すように、コネクタ１４からカード部材１６を抜き取る際には、挿脱工具４０でカード部材１６を挿入位置Ｐ１から押込位置Ｐ２に向けて更に押し込む。
カード部材１６を押込位置Ｐ２に向けて押し込むことによりカード部材１６のロックが解除される。この状態で、挿脱工具４０から押付力を解放することにより、スプリングの付勢力でカード部材１６を挿入位置Ｐ１に向けて矢印Ｃ方向に押し出され、抜き取ることができる。
【００４４】
このように、カード部材１６をコネクタ１４から抜き取る際にも、第１上部材４２の移動方向を底部表面１１Ｄで案内し、第１下部材４３の移動方向を保護パネル２７で案内できる。
これにより、カード部材１６を第２部材４４（すなわち、挿脱工具４０）でコネクタ１４から容易に抜き取ることができる。
【００４５】
さらに、第１上部材４２の第１上寸法Ｌ２および第１下部材４３の第１下寸法Ｌ２を第２部材４４の第２寸法Ｌ３よりも大きくした。よって、カード部材１６をコネクタ１４から抜き取った状態において、第１上部材４２を底部表面１１Ｄで支え、かつ、第１下部材４３をパネル表面２７Ａで支えることができる。
これにより、カード部材１６をコネクタ１４から抜き取った状態において、挿脱工具４０が筐体１１から脱落することを防止できる（図５参照）。
【００４６】
以上説明したように、挿脱工具４０を用いることにより、コネクタ１４の挿脱口１５を連通孔３１の外端３１Ａから筐体１１内の奥まった箇所に設けても、コネクタ１４に対するカード部材１６の挿脱を容易に行うことができる。
コネクタ１４の挿脱口１５を奥まった箇所に設けることにより、連通孔３１を開閉する蓋部材にＯリング３４を設ける空間３８を確保できる。
これにより、蓋部材を防水蓋２０（図２参照）とすることが可能になり、防水蓋２０で連通孔３１を閉鎖して防水性を確保できる。
【００４７】
なお、本発明は、指でカード部材１６の端面１６Ａを直接押せない場合、例えば、防水蓋２０の面方向で、カード部材の端面１６Ａから、連通孔３１の外端３１Ａおよび両壁部１１Ｃまでの距離が、指の厚さよりも狭い（略１ｃｍ以下）場合に、特に効果を有する。さらに、挿脱工具４０は、工具本体４１の下端４１Ｂに第１下部材４３を備えることにより、第１上部材４２および第１下部材４３で携帯端末１０を挟み込む構造にすることで、押し出されたカード部材１６が確実に挿脱工具４０に当たり、カード部材１６が筐体１１から脱落することを防ぐことができる。
【００４８】
また、カード部材１６Ａから、連通孔３１の外端３１Ａまたは両壁部１１Ｃまでの距離の一方だけを、防水蓋２０の短辺方向でほぼ指の厚さ程度（略１ｃｍ）に広げれば、かろうじて指でカード部材１６の端面１６Ａを直接押せる程度であり、この場合、カード挿入状態から更に押し込んだ際、カード部材１６の飛び出し方向から指をずらしにくくなり、飛び出たカード部材１６が確実に指に当たるので、指で押し込んだ場合でも、カード部材１６が筐体１１から脱落することを防ぐことができる。
【００４９】
なお、本発明に係る携帯端末用カード部材の挿脱工具及びこの工具を用いた挿脱方法は、前述した実施形態に限定されるものではなく適宜変更、改良等が可能である。
例えば、前記実施形態では、本発明を携帯端末１０に適用させた例について説明したが、これに限らないで、その他の電子機器に本発明を適用させることも可能である。
【００５０】
また、前記実施形態では、第１部材として第１上部材４２および第１下部材４３の二部材を例示したが、これに限らないで、第１上部材４２および第１下部材４３のいずれか一方の部材を用いることも可能である。
【００５１】
さらに、前記実施形態で使用した携帯端末、筐体、コネクタ、挿脱口、カード部材、防水蓋、連通孔、リブ、挿脱工具、第１上部材、第１下部材、第２部材および当接部等の形状や構成は例示したものに限定するものではなく適宜変更が可能である。
【産業上の利用可能性】
【００５２】
本発明は、携帯端末の筐体に収容されたコネクタに対して、連通孔を通じてカード部材を挿脱させるために携帯端末用カード部材の挿脱工具を使用可能な携帯端末への適用に好適である。
【符号の説明】
【００５３】
１０  携帯端末
１１  筐体
１１Ｄ  底部表面（第１表面）
１４  コネクタ
１５  挿脱口
１６  カード部材
１６Ａ  カード部材の端面
２０  防水蓋
２７Ａ  パネル表面（第２表面）
３１  連通孔
３６  リブ
４０  挿脱工具（携帯端末用カード部材の挿脱工具）
４２  第１上部材（第１部材）
４２Ｂ  第１上部材の先端
４３  第１下部材（第１部材）
４３Ｂ  第１下部材の先端
４４  第２部材
４５  当接部
Ｌ２  第１下寸法、第１上寸法（第１寸法）
Ｌ３  第２寸法
【図１】
2013168114.tif 000003
【図２】
2013168114.tif 000004
【図３】
2013168114.tif 000005
【図４】
2013168114.tif 000006
【図５】
2013168114.tif 000007
【図６】
2013168114.tif 000008